(57)【特許請求の範囲】
【請求項１】
無線基地局が、第１セルにおいて、報知情報によって、該第１セルに隣接する第２セルにおいて対応可能なＥ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（ＥＡＲＦＣＮ）及び該ＥＡＲＦＣＮに重複するバンドを通知する工程を有することを特徴とする移動通信方法。
【請求項２】
第１セルにおいて、無線基地局から、該第１セルに隣接する第２セルにおいて対応可能なＥ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（ＥＡＲＦＣＮ）及び該ＥＡＲＦＣＮに重複するバンドを通知する報知情報を受信するように構成されている受信部を具備することを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、各セルは、１つのＢａｎｄ（周波数帯域）に対して対応するように構成されている。
【０００３】
一方、移動局ＵＥは、自身が対応するＢａｎｄ（すなわち、認証試験に合格したＢａｎｄ）に対応しているセルにおいてのみ接続処理を行うことができるように構成されている。
【０００４】
すなわち、移動局ＵＥは、自身が対応するＢａｎｄ（すなわち、認証試験に合格したＢａｎｄ）に対応していないセルでは接続処理を行うことができないように構成されている。
【０００５】
また、ＬＴＥ-Ａｄｖａｎｃｅｄ方式では、「Ｅｑｕｉｖａｌｅｎｔ  Ｂａｎｄ」が適用可能である。かかるＥｑｕｉｖａｌｅｎｔ  Ｂａｎｄを適用することによって、各セルは、複数のＢａｎｄに対して対応することができるようになる。
【０００６】
ここで、あるＢａｎｄは、かかるＢａｎｄのＥｑｕｉｖａｌｅｎｔ  Ｂａｎｄに重複するように構成されている。
【０００７】
また、ＬＴＥ-Ａｄｖａｎｃｅｄ方式では、無線基地局ｅＮＢは、ＳＩＢ（Ｓｙｓｔｅｍ  Ｉｎｆｏｒｍａｔｉｏｎ  Ｂｌｏｃｋ）５内の情報要素「ＩｎｔｅｒＦｒｅｑＣａｒｒｉｅｒＦｒｅｑＩｎｆｏ」によって、セル再選択処理用の異周波測定処理（Ｉｎｔｅｒ-Ｆｒｅｑｕｅｎｃｙ  Ｍｅａｓｕｒｅｍｅｎｔ）の対象ＥＡＲＦＣＮ（Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を通知するように構成されている。
【先行技術文献】
【非特許文献】
【０００８】
【非特許文献１】３ＧＰＰ寄書Ｒ２-１１５７４６
【非特許文献２】３ＧＰＰ寄書Ｒ２-１１６０８２
【非特許文献３】３ＧＰＰ寄書Ｒ２-１１６０７５
【非特許文献４】３ＧＰＰ寄書Ｒ２-１１６１７０
【非特許文献５】３ＧＰＰ寄書Ｒ２-１１６０８３
【非特許文献６】３ＧＰＰ寄書Ｒ２-１１５９１１
【発明の概要】
【発明が解決しようとする課題】
【０００９】
既存のＬＴＥ-Ａｄｖａｎｃｅｄ方式の仕様では、情報要素「ＩｎｔｅｒＦｒｅｑＣａｒｒｉｅｒＦｒｅｑＬｉｓｔ」内に設定可能な情報要素「ＩｎｔｅｒＦｒｅｑＣａｒｒｉｅｒＦｒｅｑＩｎｆｏ」の数は、最大で８個となっている。
【００１０】
しかしながら、上述したように、「Ｅｑｕｉｖａｌｅｎｔ  Ｂａｎｄ」を適用することによって、各セルにおいて複数のＢａｎｄに対応するようになると、情報要素「ＩｎｔｅｒＦｒｅｑＣａｒｒｉｅｒＦｒｅｑＬｉｓｔ」内に設定可能な情報要素「ＩｎｔｅｒＦｒｅｑＣａｒｒｉｅｒＦｒｅｑＩｎｆｏ」の数が８個を超えてくるケースが想定される。
【００１１】
かかるケースにおいて、情報要素「ＩｎｔｅｒＦｒｅｑＣａｒｒｉｅｒＦｒｅｑＬｉｓｔ」内に設定可能な情報要素「ＩｎｔｅｒＦｒｅｑＣａｒｒｉｅｒＦｒｅｑＩｎｆｏ」の数を増やすのは、オーバヘッドの増加の観点から好ましくない。
【００１２】
そこで、本発明は、上述の課題に鑑みてなされたものであり、オーバヘッドの増加を最小限としつつ、ＳＩＢ５によって、Ｅｑｕｉｖａｌｅｎｔ  ＢａｎｄのＥＡＲＦＣＮについて通知することができる移動通信方法及び移動局を提供することを目的とする。
【課題を解決するための手段】
【００１３】
本発明の第１の特徴は、移動通信方法であって、無線基地局が、第１セルにおいて、報知情報によって、該第１セルに隣接する第２セルにおいて対応可能なバンド内の無線周波数チャネル番号及び該バンドの等価バンドを通知する工程と、移動局が、前記バンド及び前記等価バンドをサポートしていないと判定した場合、該第２セルにおけるアクセスが禁止されていると見なす工程とを有することを要旨とする。
【００１４】
本発明の第１の特徴は、移動局であって、第１セルにおいて、無線基地局から、該第１セルに隣接する第２セルにおいて対応可能なバンド及び該バンドの等価バンドを通知する報知情報を受信するように構成されている受信部と、前記バンド及び前記等価バンドをサポートしていないと判定した場合、該第２セルにおけるアクセスが禁止されていると見なすように構成されている判定部とを具備することを要旨とする。
【発明の効果】
【００１５】
以上説明したように、本発明によれば、オーバヘッドの増加を最小限としつつ、ＳＩＢ５によって、Ｅｑｕｉｖａｌｅｎｔ  ＢａｎｄのＥＡＲＦＣＮについて通知することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって報知されるＳＩＢ１のフォーマットの一例を示す図である。
【図４】本発明の第１の実施形態に係る無線基地局によって報知されるＳＩＢ２のフォーマットの一例を示す図である。
【図５】本発明の第１の実施形態に係る無線基地局によって報知されるＳＩＢ５のフォーマットの一例を示す図である。
【図６】本発明の第１の実施形態に係る移動局の機能ブロック図である。
【図７】本発明の第１の実施形態に係る移動局の動作を示すフローチャートである。
【図８】本発明の変更例１に係る無線基地局によって報知されるＳＩＢ５のフォーマットの一例を示す図である。
【発明を実施するための形態】
【００１７】
（本発明の第１の実施形態に係る移動通信システム）
図１乃至図７を参照して、本発明の第１の実施形態に係る移動通信システムについて説明する。本実施形態を説明するための全図において、同一機能を有するものは同一符号を用い、繰り返しの説明は省略する。
【００１８】
図１に示すように、本実施形態に係る移動通信システムは、無線基地局ｅＮＢ＃１及び無線基地局ｅＮＢ＃２を具備している。
【００１９】
無線基地局ｅＮＢ＃１は、セル＃１を管理しており、無線基地局ｅＮＢ＃２は、セル＃２を管理するように構成されている。なお、無線基地局ｅＮＢ＃１と無線基地局ｅＮＢ＃２との間は、Ｘ２インターフェイスにて接続されている。
【００２０】
ここで、セル＃１は、Ｂａｎｄ＃１９に対応しており、Ｅｑｕｉｖａｌｅｎｔ  Ｂａｎｄとして、Ｂａｎｄ＃５/＃２６に対応しており、セル＃２は、Ｂａｎｄ＃２に対応しており、Ｅｑｕｉｖａｌｅｎｔ  Ｂａｎｄとして、Ｂａｎｄ＃２１に対応しているものとする。
【００２１】
なお、Ｂａｎｄ＃５及びＢａｎｄ＃１９/＃２６は、重複するように構成されており、Ｂａｎｄ＃２及びＢａｎｄ＃２１は、重複するように構成されており、Ｂａｎｄ＃５/＃１９/＃２６及びＢａｎｄ＃２/＃２１は、重複していないように構成されている。
【００２２】
なお、本実施形態では、移動局ＵＥは、無線基地局ｅＮＢ＃１配下のセル＃１において待ち受け状態であるものとする。
【００２３】
無線基地局ｅＮＢ＃１及び無線基地局ｅＮＢ＃２の構成は、基本的に同一であるため、以下、代表して、無線基地局ｅＮＢ＃１の構成について説明する。
【００２４】
図２に示すように、無線基地局ｅＮＢ＃１は、管理部１１と、報知情報送信部１２とを具備している。
【００２５】
管理部１１は、無線基地局ｅＮＢ＃１（或いは、セル＃１）で使用されているＢａｎｄ構成について管理するように構成されている。
【００２６】
また、管理部１１は、無線基地局ｅＮＢ＃１に隣接する無線基地局ｅＮＢ＃２（或いは、セル＃２）で使用されているＢａｎｄ構成について管理するように構成されていてもよい。
【００２７】
報知情報送信部１２は、セル＃１において、ＭＩＢ（Ｍａｓｔｅｒ  Ｉｎｆｏｒｍａｔｉｏｎ  Ｂｌｏｃｋ）やＳＩＢ１-８等の報知情報を送信するように構成されている。
【００２８】
例えば、報知情報送信部１２は、管理部１１によって管理されているＢａｎｄ構成を参照して、図３に示すように、ＳＩＢ１内の情報要素「ｆｒｅｑＢａｎｄＩｎｄｉｃａｔｏｒ」によって、セル＃１において対応しているＢａｎｄ＃５を通知し、ＳＩＢ１内の情報要素「ａｄｄｉＦｒｅｑＢａｎｄＩｎｄｉｃａｔｏｒＬｉｓｔ」によって、セル＃１においてＥｑｕｉｖａｌｅｎｔ  Ｂａｎｄとして対応しているＢａｎｄ（以下、Ｅｑｕｉｖａｌｅｎｔ  Ｂａｎｄ）＃５/＃２６を通知するように構成されている。
【００２９】
また、報知情報送信部１２は、管理部１１によって管理されているＢａｎｄ構成を参照して、図４に示すように、ＳＩＢ２内の情報要素「ａｄｄｉＦｒｅｑＩｎｆｏＬｉｓｔ」によって、セル＃１において対応しているＥｑｕｉｖａｌｅｎｔ  Ｂａｎｄ＃５/＃２６に係るキャリア周波数情報を通知するように構成されている。
【００３０】
さらに、報知情報送信部１２は、管理部１１によって管理されているＢａｎｄ構成を参照して、図５に示すように、ＳＩＢ５内の情報要素「ＩｎｔｅｒＦｒｅｑＣａｒｒｉｅｒＦｒｅｑＩｎｆｏ」内の情報要素「ｄｌ-ＣａｒｒｉｅｒＦｒｅｑ」によって、セル＃２において対応しているＢａｎｄ＃２内のセル再選択処理用の異周波測定処理の対象ＥＡＲＦＣＮを通知するように構成されている。
【００３１】
また、報知情報送信部１２は、管理部１１によって管理されているＢａｎｄ構成を参照して、図５に示すように、ＳＩＢ５内の情報要素「ＩｎｔｅｒＦｒｅｑＣａｒｒｉｅｒＦｒｅｑＩｎｆｏ」内の情報要素「ａｄｄｉＦｒｅｑＢａｎｄＩｎｄｉｃａｔｏｒＬｉｓｔ」によって、セル＃２において対応しているＥｑｕｉｖａｌｅｎｔ  Ｂａｎｄ＃２１を通知するように構成されている。
【００３２】
本実施形態に係る移動局ＵＥは、図６に示すように、受信部２１と、判定部２２と、待ち受け処理部２３とを具備している。
【００３３】
受信部２１は、無線基地局ｅＮＢ＃１によって送信された報知情報（ＭＩＢ/ＳＩＢ１-８等）を受信するように構成されている。
【００３４】
ここで、受信部２１は、ＳＩＢ１から、セル＃１において対応しているＢａｎｄ＃１９及びＥｑｕｉｖａｌｅｎｔ  Ｂａｎｄ＃５/＃２６に係る情報を取得するように構成されている。
【００３５】
また、受信部２１は、ＳＩＢ２から、セル＃１において対応しているＢａｎｄ＃１９及びＥｑｕｉｖａｌｅｎｔ  Ｂａｎｄ＃５/＃２６に係る上りキャリア周波数情報を取得するように構成されている。
【００３６】
さらに、受信部２１は、ＳＩＢ５から、セル＃２において対応しているＢａｎｄ＃２及びＥｑｕｉｖａｌｅｎｔ  Ｂａｎｄ＃２１に係る情報を取得するように構成されている。
【００３７】
判定部２２は、受信部によって受信されたセル＃１において対応しているＢａｎｄ＃１９及びＥｑｕｉｖａｌｅｎｔ  Ｂａｎｄ＃５/＃２６が、移動局ＵＥによってサポートされているか否かについて判定するように構成されている。
【００３８】
ここで、セル＃１において対応しているＢａｎｄ＃１９及びＥｑｕｉｖａｌｅｎｔ  Ｂａｎｄ＃５/＃２６が、移動局ＵＥによってサポートされていないと判定されている場合、判定部２２は、セル＃１におけるアクセスが禁止されていると見なすように構成されている。
【００３９】
また、判定部２２は、受信部によって受信されたセル＃２において対応しているＢａｎｄ＃１９及びＥｑｕｉｖａｌｅｎｔ  Ｂａｎｄ＃５/＃２６が、移動局ＵＥによってサポートされているか否かについて判定するように構成されている。
【００４０】
ここで、セル＃２において対応しているＢａｎｄ＃２及びＥｑｕｉｖａｌｅｎｔ  Ｂａｎｄ＃２１が、移動局ＵＥによってサポートされていないと判定されている場合、判定部２２は、セル＃２におけるアクセスが禁止されていると見なすように構成されている。
【００４１】
待ち受け処理部２３は、判定部２２による判定結果に基づいて、待ち受け処理を行うように構成されている。
【００４２】
すなわち、待ち受け処理部２３は、判定部２２によってアクセスが禁止されていると見なされたセル（Ｂａｒｒｅｄ  Ｃｅｌｌ）において待ち受け処理を行うことなく、別の周波数のセルを探すように構成されている。
【００４３】
以下、図７を参照して、本実施形態に係る移動局ＵＥの動作の一例について説明する。
【００４４】
図７に示すように、ステップＳ１０１において、セル＃１において待ち受けを行っている移動局ＵＥは、セル＃１において受信したＳＩＢ１に含まれている情報要素「ｆｒｅｑＢａｎｄＩｎｄｉｃａｔｏｒ」及び「ａｄｄｉＦｒｅｑＢａｎｄＩｎｄｉｃａｔｏｒＬｉｓｔ」によって指定されているＢａｎｄが、移動局ＵＥによってサポートされているか否かについて判定する。
【００４５】
「ＹＥＳ」の場合、移動局ＵＥは、セル＃１における待ち受けを継続し、本動作は、終了する。
【００４６】
一方、「ＮＯ」の場合、本動作は、ステップＳ１０２に進み、移動局ＵＥは、セル＃１に対するアクセスが禁止されているものと見なす。
【００４７】
ステップＳ１０３において、移動局ＵＥは、セル＃１において受信したＳＩＢ５に含まれている情報要素「ｄｌ-ＣａｒｒｉｅｒＦｒｅｑ」によって指定されているＥＡＲＦＣＮに対応するＢａｎｄ及び情報要素「ａｄｄｉＦｒｅｑＢａｎｄＩｎｄｉｃａｔｏｒＬｉｓｔ」によって指定されているＢａｎｄが、移動局ＵＥによってサポートされているか否かについて判定する。
【００４８】
ここで、移動局ＵＥは、情報要素「ａｄｄｉＦｒｅｑＢａｎｄＩｎｄｉｃａｔｏｒＬｉｓｔ」に含まれている全てのＢａｎｄに対して、かかる判定を行う。
【００４９】
「ＹＥＳ」の場合、移動局ＵＥは、セル＃５に対するセル再選択処理を行い、本動作は、終了する。
【００５０】
一方、「ＮＯ」の場合、本動作は、ステップＳ１０４に進み、移動局ＵＥは、セル＃１に対するアクセスが禁止されているものと見なし、別の周波数のセルを探す。
【００５１】
本発明の第１の実施形態に係る移動通信システムによれば、「Ｅｑｕｉｖａｌｅｎｔ  Ｂａｎｄ」を適用することによって、各セルにおいて複数のＢａｎｄに対応することができる場合であっても、ＳＩＢ５に含まれる情報要素「ＩｎｔｅｒＦｒｅｑＣａｒｒｉｅｒＦｒｅｑＬｉｓｔ」内に設定可能な情報要素「ＩｎｔｅｒＦｒｅｑＣａｒｒｉｅｒＦｒｅｑＩｎｆｏ」の数を増やすことなく、移動局ＵＥにおいて、セル再選択処理を行うための異周波測定処理を適切に行うことができる。
【００５２】
（変更例１）
以下、図８を参照して、本発明の変更例１に係る移動通信システムについて、上述の第１の実施形態に係る移動通信システムとの相違点に着目して説明する。
【００５３】
本変更例１では、無線基地局ｅＮＢの報知情報送信部１２は、管理部１１によって管理されているＢａｎｄ構成を参照して、図８に示すように、ＳＩＢ５内の情報要素「ＩｎｔｅｒＦｒｅｑＣａｒｒｉｅｒＦｒｅｑＩｎｆｏ」内の情報要素「ＩｎｔｅｒＦｒｅｑＮｅｉｇｈＣｅｌｌＬｉｓｔ」によって、セル＃１に隣接する各セルにおいて対応しているＥｑｕｉｖａｌｅｎｔ  Ｂａｎｄを通知するように構成されている。
【００５４】
本変更例１に係る移動通信システムによれば、セル＃１に隣接する各セルにおいて対応しているＥｑｕｉｖａｌｅｎｔ  Ｂａｎｄが異なる場合であっても、セルごとに、別々のＥｑｕｉｖａｌｅｎｔ  Ｂａｎｄを通知することができる。
【００５５】
以上に述べた本実施形態の特徴は、以下のように表現されていてもよい。
【００５６】
本実施形態の第１の特徴は、移動通信方法であって、無線基地局ｅＮＢが、セル＃１（第１セル）において、ＳＩＢ５（報知情報）によって、セル＃１に隣接するセル＃２（第２セル）において対応可能なＢａｎｄ＃２（バンド）及びＥｑｕｉｖａｌｅｎｔ  Ｂａｎｄ＃２１（等価バンド）を通知する工程と、移動局ＵＥが、Ｂａｎｄ＃２及びＥｑｕｉｖａｌｅｎｔ  Ｂａｎｄ＃２１のいずれもサポートしていないと判定した場合、セル＃２におけるアクセスが禁止されていると見なす工程とを有することを要旨とする。
【００５７】
本実施形態の第２の特徴は、移動局ＵＥであって、セル＃１において、無線基地局ｅＮＢから、セル＃２において対応可能なＢａｎｄ＃２及びＥｑｕｉｖａｌｅｎｔ  Ｂａｎｄ＃２１を通知するＳＩＢ５を受信するように構成されている受信部２１と、Ｂａｎｄ＃２及びＥｑｕｉｖａｌｅｎｔ  Ｂａｎｄ＃２１をサポートしていないと判定した場合、セル＃２におけるアクセスが禁止されていると見なすように構成されている判定部２２とを具備することを要旨とする。
【００５８】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ｅＮＢ…無線基地局
１１…管理部
１２…報知情報送信部
ＵＥ…移動局
２１…受信部
２２…判定部
２３…待ち受け処理部
【要約】
【課題】オーバヘッドの増加を最小限としつつ、ＳＩＢ５によって、Ｅｑｕｉｖａｌｅｎｔ  ＢａｎｄのＥＡＲＦＣＮについて通知する。
【解決手段】本発明に係る移動通信方法は、無線基地局ｅＮＢが、セル＃１において、ＳＩＢ５によって、セル＃１に隣接するセル＃２において対応可能なＢａｎｄ＃２及びＥｑｕｉｖａｌｅｎｔ  Ｂａｎｄ＃２１を通知する工程と、移動局ＵＥが、Ｂａｎｄ＃２及びＥｑｕｉｖａｌｅｎｔ  Ｂａｎｄ＃２１をサポートしていないと判定した場合、セル＃２におけるアクセスが禁止されていると見なす工程とを有する。
【選択図】図７【図１】
0005231661.tif 000002
【図２】
0005231661.tif 000003
【図３】
0005231661.tif 000004
【図４】
0005231661.tif 000005
【図５】
0005231661.tif 000006
【図６】
0005231661.tif 000007
【図７】
0005231661.tif 000008
【図８】
0005231661.tif 000009